(57)【要約】【課題】  磁力を強化した磁石体を筒内に収容すると共に、筒の外へバランス良く磁力を発生させる磁気発生具と、これを用いた鳥類防除装置の提供を目的とする。【解決手段】  複数個の磁石と磁性体よりなる座板とを組合せすると共に、複数の磁石は互いに反発するように配置させて形成した磁石体を、非磁性体よりなる筒内に、その中芯軸が一致するように収容することで磁気発生具とした。  この磁気発生具を、支柱の先端部で回転する桟に、鳥類の嫌う忌避表示と共に取付けることで、鳥類防除装置とした。  このような磁気発生具は磁力が強化されて磁界を広げると共に、忌避標示と共に使用することで、生物磁気を持たない鳥類の排除にも有効である。【選択図】        図２
2005253452.tif 000002
【特許請求の範囲】
【請求項１】
磁気を発生させる磁石と、この磁石のＮ極又はＳ極の少なくともどちらか一方に接合されると共に、前記磁石の厚みよりもその板厚を薄く設定して、前記磁石の磁力を集中させる磁性体の座板とで形成した磁石体と、
この磁石体をその内部に収容する非磁性体の筒とからなる磁気発生具。
【請求項２】
同極同士が互いに隣接するように配置した複数個の磁石と、これらの磁石のＮ極又はＳ極のうち少なくともどちらか一方にそれぞれ配設されると共に、前記磁石の磁力を集中させる磁性体の座板とで形成した磁石体と、
この磁石体をその内部に収容する非磁性体の筒とからなる磁気発生具。
【請求項３】
その中心部に貫通孔を設けた磁石と、この磁石のＮ極又はＳ極のどちらか一方に接合され、その中心部に貫通孔を設けて前記磁石の磁力を集中させる磁性体の座板と、この座板と前記磁石とを接合し、それぞれの貫通孔に挿入して両者を固着する非磁性体の固着手段とで形成した磁石体と、
この磁石体をその内部に収容する非磁性体の筒とからなる磁気発生具。
【請求項４】
棒体の先端部で棒体とＴ字形を形成するように配置すると共に、回転可能な状態で取付けた桟とで形成した支柱と、
この支柱に設けた前記桟の一端側に配設して、鳥類に対する忌避模様を標示した忌避標示と、この忌避標示を設けた前記桟の他端側に配設されると共に、磁石の一端に設けられ磁力を集中させる磁性体の座板よりなる磁石体を、その内部に収容する非磁性体の筒とで形成した磁気発生具とからなる鳥類防除装置。
【発明の詳細な説明】
【技術分野】
【０００１】  本発明は、田や畑を荒したり、食害をもたらしたりする鳥類を、磁力で排除するように改善した鳥類防除用の磁気発生具及びそれを用いた鳥類防除装置に関する。
【背景技術】
【０００２】  本発明の従来例としては、複数の磁石が互いに接合するように、Ｎ極とＳ極とを接触させて積重ねると共に、この磁石を非磁性体の筒状容器内に収納した鳥類追払い具がある。
これらの積重ねした複数の磁石は、容器内で傾斜させた状態で収容するものでもある。（例えば特許文献１参照）
【特許文献１】  特開平８−１５４５６２号公報（第２頁、図１）
【発明の開示】
【発明が解決しようとする課題】
【０００３】  特許文献１に示す鳥類追払い具は、積重ねた複数の磁石のＮ極とＳ極とが自力で接合するように積重ねるために、簡単に接合させることが可能である。
しかし、磁石を積重ねて非磁性体の筒内に収納しただけでは、筒外に発生する磁力が極端に小さくなってしまうという欠点があった。その理由としては、磁石に着磁された磁力が、磁石同士で引付けあうために、磁界分布が広がらずに磁石同士で吸収してしまうからである。
また、筒内で磁石と筒とが接触すると、磁力に悪影響を与えてしまうことになり、互いに接触しないことが原則である。更に、筒内で磁石を傾けると磁力のバランスがくずれるので、筒の外へ磁力が発生しない部分が生じてしまうという欠点もあった。
本発明は、このような不具合を解消するためになされたものであり、筒内の磁力を強化して、筒の外へバランス良く磁力を発生させる鳥類防除用としての磁気発生具と、この発生具を用いた鳥類防除装置すなわち磁気発生具及びそれを用いた鳥類防除装置の提供を目的とする。
【発明を解決するための手段】
【０００４】  上記不具合を解決するために、本発明は次のような構成としている。
請求項１に記載した磁気発生具は、磁石のＮ極又はＳ極のうち、少なくともどちらか一方に接合されると共に、磁石の厚みよりもその板厚を薄く設定して、磁石の磁力を集中させる磁性体の座板と磁石とで形成した磁石体を、非磁性体の筒内に収容することで、鳥類防除用としての磁気発生具とした。
このような鳥類防除用の磁気発生具によれば、磁石に接合した座板が磁石の持つ磁力よりも、更に大きな磁力を発生させることができるものである。
請求項２に記載した磁気発生具は、請求項１に記載した磁石と座板とが接合した磁石体を、複数個接合させると共に、互いに磁石が反発するように、同極同士が隣接するような関係で配置してから積重ねることで、鳥類防除用としての磁気発生具とした。
このような鳥類防除用の磁気発生具によれば、請求項１に記載した磁気発生具よりも、更に大きな磁力を発生させることができるものである。
請求項３に記載した磁気発生具は、請求項１又は請求項２に記載した磁石体の中芯軸に貫通孔を設けて、非磁性体のボルトやナットなどからなる固着手段で固定することにより、鳥類防除用としての磁気発生具とした。
このような磁気発生具によれば、互いに反発する磁石同士を、容易に接合した状態に組立てることができると共に、磁石と座板との中芯軸も一致できるので、バランスの取れた状態で磁力を発生させることができるものである。
請求項４に記載した鳥類防除装置は、棒体の先端部で棒体とは十字形に配設すると共に、回転可能な状態で取付けた桟を有する支柱を形成した。
この支柱に設けた桟の一端側には、鳥類に対する忌避模様を標示した忌避標示を、また桟の他端側には、請求項１乃至請求項３に記載した鳥類防除用としての磁気発生具を設けることで、鳥類防除装置とした。
このような鳥類防除装置によれば、磁気発生具の作用だけではなくて、忌避標示の作用を得ることもできる。また、回転可能な状態で形成したので、風力により忌避標示と磁気発生具とが回転するから、これらの動きと磁気の変移によって、更に鳥類被害の防除効果を高めることができるものである。
【発明の効果】
【０００５】  本発明によれば、磁石と磁性体の座板との組合せによって、その磁石が持つ磁力を高めることができるようになった。
磁石と座板とからなる磁石体を、互いに反発するような関係で、複数個を積重ねることにより、磁力を更に大きくすることができるようになった。
磁石と座板との軸芯を一致させた磁石体と、この磁石体を収容する筒との軸芯も一致させることで、磁気バランスを均一に発生させることができるようになった。
また、忌避標示を回転させることによって、鳥類防除装置に動きが伴うから、忌避標示とその動きの作用で、生物磁気を持たないといわれるすずめ等の鳥類の排除も、できるようになったなどの効果を得ることができた。
【発明を実施するための形態】
【０００６】  本発明について、図面を参照して説明する。図１は本発明の磁気発生具を示す斜視図、図２は図１の一部を削除した分解斜視図である。
図１で示すように本発明の鳥類防除用としての磁気発生具１０は、内部に磁石体を収容した筒１２と、この筒を吊下げた状態で取付けするための吊下手段１６とからなる。
この筒１２と吊下手段１６とは、図２で示すように分解することができる。すなわち、筒１２の一端を開放状態にして、開口１３を設けると共に、この開口に蓋１４を取付けている。
この蓋１４の中心部にはねじ孔が設けられ、吊下手段１６をねじ込んで取付けしたり、逆に取外したりすることができる。この吊下手段１６は、中間部に寄り戻し１７を設けた鎖状であり、その先端部に輪形が設けられると共に、この輪形を用いて取付位置に吊下状態で取付けることができる。
筒１２の内部には、磁気を発生させる磁石体２０が収容されており、この磁石体２０は、磁石２１とこの磁石のＮ極とＳ極とに接合した磁性体の座板２３と、これらを組立するための非磁性体よりなるボルトやナットの固定手段２５とからなる。
また、この磁石体２０の一端側は、被膜チューブ２８が被せられて、筒内での移動や筒との接触を、阻止するように配慮している。
【０００７】  このような磁石体２０について、図面を参照して更に詳細に説明する。図３は図２で示す被膜チューブを削除して示す磁石体の分解斜視図、図４は図３を組立てた状態を示す説明図である。
図３で示すように磁石体２０は、希土類磁石よりなる磁石２１の両端すなわちＮ極とＳ極とに、磁性体よりなる座板２３を配設すると共に、非磁性体よりなるボルトとナットの固定手段２５で組立している。
従って、磁石２１と座板２３との中心には、それぞれ貫通した孔２２を磁石２１に、また、貫通した孔２４を座板２３に設けている。これらの孔はボルトの挿入によって、それぞれの中芯軸が位置ずれしないような関係で、その大きさを設定している。
このような磁石２１と座板２３とを組合せすることは、磁力を強化することが目的である。この磁力の強化は、磁石２１と座板２３との大きさや厚みにも関係するものであり、図４を参照して説明する。
図中のｔで示す磁石２１の厚み方向に対して、座板２３の板厚は磁石の厚さの５０％位が、また、図中のＲで示す磁石２１の直径の大きさは、磁石の１０％増しが好ましい。
すなわち、磁石のｔ方向を６ミリに設定した場合には、座板２３の板厚は３ミリに、また、磁石の直径Ｒを１０ミリとした場合は、１０％増しの１１ミリに座板の直径を設定することになる。このような大きさの関係が磁力を最大に発生させることが、実験の結果得られた。
【０００８】  このような大きさの磁石２１と座板２３とについて、磁石を複数個にすると、更に磁力を強化することができるものであり、これについて図面を参照して説明する。図５は複数の磁石を用いた磁石体の作用を示す説明図、図６は図５を用いた磁石体の斜視図である。
図５で示すように、複数の磁石を用いた磁石体３０は、図４で示した磁石体２０に対して、更に図３で示したと同様の磁石２１と座板２３との１組を追加したものである。
この磁石体３０の特徴としては、複数の磁石の極性が互いに反発するように、同極同士が隣接するような関係に配置させたことである。従って、図示しないがこれらの複数の磁石２１と座板２３とを組合せするには、互いに反発する磁石同士を、接合させなければならないので、組立には非磁性体のボルトやナットなどからなる固定手段が必要である。
図５では２個の磁石２１を用いて示してあるが、３個又は４個と増やして磁石体とすることも可能であり、固着手段としてのボルトを長くすれば、どのような組合せの磁石体にも対応可能である。
【０００９】  図５の図中で示す湾曲線は、磁石２１に着磁された磁力が、磁性体の座板２３に集中する磁力線３３の一部を示したものであり、この磁力線は磁石２１と座板２３との全周囲に発生している。
磁力線３３の向きはＮ極からＳ極に入ることにより、磁束密度が特に中間部の座板Ｂに集中して磁界を強くするものである。換言すれば、磁石２１の両極に磁性体の座板２３を取付けて、Ｎ極とＳ極とが互いに反発するように組立ることによって、磁界分布を広げるものである。
このような分布状態を数値的に示すと、図５で示す磁石の１つが、４０００ガウスの磁力を有するものとして組合せすると、図中のＡ点では１８００ガウス、磁力の集中するＢ点では４７００ガウス、Ｃ点では２０２０ガウスになることが実験結果で判明した。
Ｂ点における４７００ガウスは、磁力が集中することによって、図中の矢印で示すように周囲に対する磁界の分布を広げる働きが、特に大きくなるものである。
また、磁力と座板とを更に追加すると、磁石体の両端であるＡ点とＣ点は同じ磁力であるが、中間部のＢ点の数が増えるので、更に磁界を広げることになり、その結果広い範囲に渡って磁界の影響力を及ぼすことができる。
【００１０】  このように組立てた磁石体３０は、固着手段３５としてのボルト３６の頭部側とは反対側であるナット側を中心として、被膜チューブ２８で覆っている。この被膜チューブは筒の底面に接触する長さに設定している。
この被膜チューブ２８は、磁石体３０の中間部から、ナット３７側に延出させた状態で覆うことにより、筒１２内との接触や移動を阻止するためのものである。この被膜チューブ２８は、熱によって収縮することで、磁石体３０の周囲に取付けする。
尚、磁石体３０のボルト３６頭部側は、筒１２の一端を覆う蓋に設けた孔に挿入して、磁石体３０と筒１２との中芯軸を一致させている。
【００１１】  このような筒１２について、図面を参照して説明する。図７は図１で示す筒の一部を破断して示す斜視図である。
図７で示すように筒１２は、円筒形の筒本体１３と、この両端を覆う鍔付きの蓋１４と底蓋１６とからなり、これらは非磁性体の材料で形成している。この蓋１４と底蓋１６とは、筒本体１３に圧入することにより取付けることができる。
蓋１４の中心には、表側から裏側へ貫通したねじ孔１５が設けられ、この孔の裏側から、磁石体３０を組立するボルト３６の頭部を挿入することで、前述したように筒１２と磁石体３０との中芯軸を一致させて、筒の内側と磁石体とが接触しないようにしている。
また、ナット側には被膜チューブ２８が取付けられており、この被膜チューブの存在によって両者の接触と移動とを防止している。このナットの頭部と被膜チューブによる磁石体の傾きや移動を阻止することは、磁気発生具としての周囲に対する均一な磁界分布の発生に配慮したものである。
ねじ孔１５は、その表側から吊下手段１６をねじ込んで、吊下手段と蓋とを一体化させるためのものである。また、筒本体１３は、磁石体を収納できる程度の大きさであり、磁石体の傾きや磁界分布に配慮して、極端に大きくしないように設定している。
また、筒本体１３の外表面には、帯状で鳥類が忌避する赤、黄、黒、青などを用いた着色による標示を施している。これらの色は毒蛇や毒蜂などに配色される色であり、野生動物にはこれらの配色が、危険であると認識されているともいわれており、忌避標示１８の一種である。
【００１２】  このように構成した磁気発生具１０は、吊下手段を用いて鳥類を排除したい場所に吊下げて使用することができる。広範囲に亘って鳥類の排除が必要であれば、ある程度の間隔を設けて、複数個の磁気発生具１０を使用すれば良いもので、田や畑はもちろんのこと、果樹園やごみ置場などに使用するものである。
また、この磁気発生具１０を、もっと有効に使用する例として、以下に示す鳥類防除装置として用いることができるもので、これについて説明する。
【００１３】  図８は鳥類防除装置を示す説明図、図９は図８の一部を破断して示す分解説明図である。
図８で示すように鳥類防除装置４０は、棒体の中間部に長さ調整機構４４を設けて、図中の矢印Ａ方向にその長さを伸縮可能にすると共に、その先端部には図中の矢印Ｂ方向に回転可能な状態で、棒体とはＴ字形に桟４６を配設することで、支柱４２を形成した。
Ｔ字形に配設した桟４６の一方には、鳥類の嫌う赤黄黒を組合せて配色した毒蛇や、その他の絵などよりなる忌避標示５０を、また、他方には前述した鳥類防除用としての磁気発生具１０を取付けている。
忌避標示５０は、その二辺を支柱４２の棒体と桟４６とに取付けた旗よりなり、風を受けると桟４６が回転する。従って、桟に取付けた磁気発生具１０も、旗と同様に回転することになり、回転と揺れを伴った移動によって、磁界を変化させることができる。
支柱４２を地面に突刺した状態で使用すると、旗の揺れや回転によって生じる振動が、支柱を介して地面にも伝わるので、土中を移動して畑を荒すもぐらやねずみの防除も兼ねることができる作用を持つものである。
このような鳥類防除装置４０は、図９で示すように忌避標示５０と磁気発生具１０及び桟４６を取外しできると共に、長さ調整機構４４を用いることにより、支柱を短くして移動や運搬ができるものである。
【００１４】  このように構成した鳥類防除装置４０を使用するには、田や畑などに適当な間隔を設けて、その複数個を配置させて用いるものである。
磁気発生具１０によって、生物磁気の持つ鳥類の磁気を狂わすことで、鳥類に傷を付けることなく追払うことができる。
また、忌避標示５０によって、生物磁気を持たないといわれるすずめ等の鳥類を、その警戒心を利用して追払うことができる。風を受けた忌避標示としての旗を、回転させることができるので、支柱を介して伝わる振動を土中に伝えることにより、もぐらやねずみも排除することができるという作用を持たせたものである。
果樹園にも鳥類防除装置４０を配置させることはできるが、磁気発生具１０を直接木に吊下げて使うことも可能である。
【図面の簡単な説明】
【００１５】
【図１】    本発明の磁気発生具を示す斜視図である。
【図２】    図１の一部を削除した分解斜視図である。
【図３】    図２で示す被膜チューブを削除して示す磁石体の分解斜視図である。
【図４】    図３を組立た状態を示す説明図である。
【図５】    複数の磁石を用いた磁石体の作用を示す説明図である。
【図６】    図５を用いた磁石体の斜視図である。
【図７】    図１で示した筒の一部を破断して示す斜視図である。
【図８】    本発明の鳥類防除装置を示す説明図である。
【図９】    図８の一部を破断して示す分解説明図である。
【符号の説明】
【００１６】  １０  磁気発生具
１２  筒
１６  吊下手段
２０  磁石体
２１  磁石
２３  座板
２５  固着手段
３０  磁石体
３３  磁力線
３８  被膜チューブ
４０  鳥類防除装置
４２  支柱
４６  桟
５０  忌避標示
【図１】
2005253452.tif 000003
【図２】
2005253452.tif 000004
【図３】
2005253452.tif 000005
【図４】
2005253452.tif 000006
【図５】
2005253452.tif 000007
【図６】
2005253452.tif 000008
【図７】
2005253452.tif 000009
【図８】
2005253452.tif 000010
【図９】
2005253452.tif 000011